(57)【要約】【課題】悪臭成分を含有する排ガスを低いランニングコストによって効率よく処理できる排ガス処理方法および排ガス処理システムを提供する。【解決手段】この排水処理システムは、前段の排ガス処理装置３と後段の脱臭装置２２とを備える。前段の排ガス処理装置３は上部散水部４と下部水槽部５とマイクロナノバブル発生槽１３とを有する。前段,後段の排ガス処理装置３,２２によって洗浄水にマイクロナノバブルを含有させて洗浄水に含まれる微生物をマイクロナノバブルで活性化し、活性化した微生物によって排ガスに含まれる悪臭ガス成分に対して洗浄水方式の２段階の排ガス処理を効率良く行う。【選択図】図１
2007319830.tif 000002
【特許請求の範囲】
【請求項１】
微生物を含有する洗浄水にマイクロナノバブルを含有させ、
上記マイクロナノバブルを含む洗浄水によって、悪臭含有排ガスを洗浄水方式で処理することを特徴とする排ガス処理方法。
【請求項２】
請求項１に記載の排ガス処理方法において、
上記マイクロナノバブルを含む洗浄水で上記悪臭含有排ガスを処理し、
オゾンマイクロナノバブルを含む洗浄水で上記悪臭含有排ガスを処理することを特徴とする排ガス処理方法。
【請求項３】
請求項１に記載の排ガス処理方法において、
上記悪臭含有排ガスは、揮発性有機化合物含有排ガスであることを特徴とする排ガス処理方法。
【請求項４】
微生物を含有する洗浄水にマイクロナノバブルを含有させ、上記マイクロナノバブルを含む洗浄水によって、悪臭含有排ガスを洗浄水方式で処理することを特徴とする排ガス処理システム。
【請求項５】
請求項４に記載の排ガス処理システムにおいて、
前段の洗浄水方式の排ガス処理装置と、
後段の洗浄水方式の排ガス処理装置とを備えることを特徴とする排ガス処理システム。
【請求項６】
請求項５に記載の排ガス処理システムにおいて、
上記前段の排ガス処理装置は、上記悪臭含有排ガスをマイクロナノバブルを含む洗浄水で洗浄し、
上記後段の排ガス処理装置は、上記悪臭含有排ガスをオゾンマイクロナノバブルを含む洗浄水で洗浄することを特徴とする排ガス処理システム。
【請求項７】
請求項６に記載の排ガス処理システムにおいて、
上記前段の排ガス処理装置は、
上記悪臭含有排ガスを洗浄水で洗浄する洗浄水方式の主処理部と、
上記主処理部とは別個に設置されると共に上記洗浄水にマイクロナノバブルを含有させるマイクロナノバブル発生機が設置されたマイクロナノバブル発生槽とを有し、
上記後段の排ガス処理装置は、オゾン発生機とマイクロナノバブル発生機を有することを特徴とする排ガス処理システム。
【請求項８】
請求項７に記載の排ガス処理システムにおいて、
上記前段の排ガス処理装置および上記後段の排ガス処理装置は、
上記悪臭ガス含有排ガスにマイクロナノバブルを含有する洗浄水を散水する上部散水部と、
上記上部散水部からの洗浄水が導入されると共に上記マイクロナノバブルを含有する洗浄水を上記散水部に送水する下部水槽部とを有することを特徴とする排ガス処理システム。
【請求項９】
請求項８に記載の排ガス処理システムにおいて、
上記前段の排ガス処理装置は、
上記下部水槽部に設置されたひも状型ポリ塩化ビニリデン充填物を有することを特徴とする排ガス処理システム。
【請求項１０】
請求項８に記載の排ガス処理システムにおいて、
上記前段の排ガス処理装置は、
上記下部水槽に設置されたリング型ポリ塩化ビニリデン充填物を有することを特徴とする排ガス処理システム。
【請求項１１】
請求項８に記載の排ガス処理システムにおいて、
上記前段の排ガス処理装置は、
上記下部水槽に、網袋に入った活性炭が設置されていることを特徴とする排ガス処理システム。
【請求項１２】
請求項８に記載の排ガス処理システムにおいて、
上記前段の排ガス処理装置は、
上記下部水槽に、曝気設備が設置されていることを特徴とする排ガス処理システム。
【請求項１３】
請求項８に記載の排ガス処理システムにおいて、
上記前段の排ガス処理装置は、
上記下部水槽に、ひも状型ポリ塩化ビニリデン充填物と曝気設備が設置されていることを特徴とする排ガス処理システム。
【請求項１４】
請求項８に記載の排ガス処理システムにおいて、
上記前段の排ガス処理装置は、
上記下部水槽に、リング型ポリ塩化ビニリデン充填物と曝気設備が設置されていることを特徴とする排ガス処理システム。
【発明の詳細な説明】
【技術分野】
【０００１】
この発明は、排ガス処理方法および排ガス処理システムに関し、マイクロナノバブルを活用した排ガス処理方法,排ガス処理システムに関する。この発明は、例えば、排水が発生することなく、また悪臭含有排ガスの処理が可能な排ガス処理方法および排ガス処理システムに関する。
【０００２】
この発明は、より具体的には排ガス処理システムの構成の一例として、マイクロナノバブル発生槽を別個に有する前段の排ガス処理装置と後段の排ガス処理装置とを備える１つ目の方式と、マイクロナノバブル発生槽を別個に有する前段の排ガス処理装置とオゾン発生機を有する後段の排ガス処理装置とを備える２つ目の方式とに関する。この２つ目の方式は、特にオゾン処理による悪臭対策を盛り込んだ排ガス処理システムとなる。この２つのタイプの排ガス処理システムは両方とも、排ガス中の揮発性有機化合物を活用してマイクロナノバブルを効率的に発生させると共に微生物を活性化して排ガス中の揮発性有機化合物を分解処理することができる。
【０００３】
この発明は、一例として、前段の排ガス処理装置と後段の排ガス処理装置において、洗浄水にマイクロナノバブルを含有させて、排ガスの脱臭が可能な排ガス処理方法および排ガス処理システムに関するものである。
【背景技術】
【０００４】
排ガス中の悪臭成分や揮発性有機化合物は、近隣住民に対する企業の社会的責任の観点や、公害防止上の大気汚染の観点から言えば処理を要するものである。
【０００５】
特に、排ガス中の悪臭成分や揮発性有機化合物は確実に処理することが必要であるが、従来はエネルギーを浪費する燃焼法が一般的であった。この燃焼法は、エネルギーの浪費となる上にランニングコストが高いことから、省エネルギーと環境が重要視される時代では合理的な処理方式とは言えない。
【特許文献１】特開２００５−１５２７０１号公報
【発明の開示】
【発明が解決しようとする課題】
【０００６】
そこで、この発明の課題は、悪臭成分を含有する排ガスを低いランニングコストによって効率よく処理できる排ガス処理方法および排ガス処理システムを提供することにある。
【課題を解決するための手段】
【０００７】
上記課題を解決するため、この発明の排ガス処理方法は、微生物を含有する洗浄水にマイクロナノバブルを含有させ、
上記マイクロナノバブルを含む洗浄水によって、悪臭含有排ガスを洗浄水方式で処理する。
【０００８】
この発明の排ガス処理方法によれば、洗浄水にマイクロナノバブルを含有させて、洗浄水に含まれる微生物をマイクロナノバブルで活性化して、悪臭含有排ガスを洗浄水方式で処理できる。よって、活性化した微生物によって、排ガスに含まれる悪臭ガス成分を効率よく処理できる。
【０００９】
なお、上記排ガスが含有する悪臭ガス成分としては、一例として、アンモニア、トリメチルアミン、アセトアルデヒド、硫化水素、メチルメルカブタンなどが挙げられるが、その他の悪臭ガス成分であってもよい。
【００１０】
また、一実施形態の排ガス処理方法は、上記マイクロナノバブルを含む洗浄水で上記悪臭含有排ガスを処理し、次に、オゾンマイクロナノバブルを含む洗浄水で上記悪臭含有排ガスを処理する。
【００１１】
この実施形態の排ガス処理方法によれば、マイクロナノバブルを含む洗浄水で排ガス中の有機物を処理できると共に、オゾンマイクロナノバブルを含む洗浄水で排ガス中の悪臭を処理できる。
【００１２】
また、一実施形態の排ガス処理方法では、上記悪臭含有排ガスは、揮発性有機化合物含有排ガスである。
【００１３】
この実施形態の排ガス処理方法によれば、洗浄水に含まれるマイクロナノバブルで活性化した微生物でもって、上記悪臭含有排ガスが含有する揮発性有機化合物を処理できる。
【００１４】
なお、上記排ガスが含有する揮発性有機化合物としては、例えば、イソプロピールアルコール、アセトン、酢酸ブチル等が挙げられるが、その他の揮発性有機化合物であってもよい。
【００１５】
また、一実施形態の排ガス処理システムは、微生物を含有する洗浄水にマイクロナノバブルを含有させ、上記マイクロナノバブルを含む洗浄水によって、悪臭含有排ガスを洗浄水方式で処理する。
【００１６】
この実施形態の排ガス処理システムによれば、洗浄水にマイクロナノバブルを含有させて、洗浄水に含まれる微生物をマイクロナノバブルで活性化して、悪臭含有排ガスを洗浄水方式で処理できる。よって、活性化した微生物によって、排ガスに含まれる悪臭ガス成分を効率よく処理できる。
【００１７】
また、一実施形態の排ガス処理システムは、前段の洗浄水方式の排ガス処理装置と、後段の洗浄水方式の排ガス処理装置とを備える。
【００１８】
この実施形態の排ガス処理システムによれば、前段および後段の排ガス処理装置によって、２段階の排ガス処理を行うので、マイクロナノバブルで活性化した微生物によって、悪臭を含有する排ガスをより確実に処理できる。
【００１９】
また、一実施形態の排ガス処理システムでは、上記前段の排ガス処理装置は、上記悪臭含有排ガスをマイクロナノバブルを含む洗浄水で洗浄し、上記後段の排ガス処理装置は、上記悪臭含有排ガスをオゾンマイクロナノバブルを含む洗浄水で洗浄する。
【００２０】
この実施形態の排ガス処理システムによれば、前段の排ガス処理装置によって排ガス中の有機物をマイクロナノバブルを含む洗浄水で処理できると共に、後段の排ガス処理装置によって排ガス中の悪臭をオゾンマイクロナノバブルを含む洗浄水で処理できる。
【００２１】
また、一実施形態の排ガス処理システムでは、上記前段の排ガス処理装置は、上記悪臭含有排ガスを洗浄水で洗浄する洗浄水方式の主処理部と、上記主処理部とは別個に設置されると共に上記洗浄水にマイクロナノバブルを含有させるマイクロナノバブル発生機が設置されたマイクロナノバブル発生槽とを有し、上記後段の排ガス処理装置は、オゾン発生機とマイクロナノバブル発生機を有する。
【００２２】
この実施形態の排ガス処理システムによれば、前段の排ガス処理装置の主処理部とは別個に設置されたマイクロナノバブル発生槽において、確実にマイクロナノバブルを発生させて、洗浄水に含まれる微生物を活性化できる。この活性化した微生物によって、排ガスに含まれる悪臭成分や揮発性有機化合物を効率よく微生物分解できる。また、後段の排ガス処理装置では、オゾン発生機とマイクロナノバブル発生機によってオゾンマイクロナノバブルを発生させて、悪臭を確実に酸化分解処理できる。
【００２３】
また、一実施形態の排ガス処理システムでは、上記前段の排ガス処理装置および上記後段の排ガス処理装置は、上記悪臭ガス含有排ガスにマイクロナノバブルを含有する洗浄水を散水する上部散水部と、上記上部散水部からの洗浄水が導入されると共に上記マイクロナノバブルを含有する洗浄水を上記散水部に送水する下部水槽部とを有する。
【００２４】
この実施形態の排ガス処理システムによれば、前段と後段の排ガス処理装置の上部散水部において、悪臭ガス含有排ガスにマイクロナノバブルを含有する洗浄水を散水すると共に、この洗浄水は下部水槽部と上部散水部との間で循環される。したがって、上部散水部では、排ガス中の成分を洗浄水に吸収できると共に、下部水槽では、マイクロナノバブルで微生物を活性化して、洗浄水中の成分を分解できる。
【００２５】
また、一実施形態の排ガス処理システムでは、上記前段の排ガス処理装置は、上記下部水槽部に設置されたひも状型ポリ塩化ビニリデン充填物を有する。
【００２６】
この実施形態の排ガス処理システムによれば、前段の排ガス処理装置の下部水槽部に設置されたひも状型ポリ塩化ビニリデン充填物に、マイクロナノバブルで活性化した微生物を固定化し繁殖させることができる。よって、微生物による洗浄水中の成分の分解を促進できる。
【００２７】
また、一実施形態の排ガス処理システムでは、上記前段の排ガス処理装置は、上記下部水槽に設置されたリング型ポリ塩化ビニリデン充填物を有する。
【００２８】
この実施形態の排ガス処理システムによれば、前段の排ガス処理装置の下部水槽部に設置されたリング型ポリ塩化ビニリデン充填物に、マイクロナノバブルで活性化した微生物を固定化し繁殖させることができる。よって、微生物による洗浄水中の成分の分解を促進できる。
【００２９】
また、一実施形態の排ガス処理システムでは、上記前段の排ガス処理装置は、上記下部水槽に、網袋に入った活性炭が設置されている。
【００３０】
この実施形態の排ガス処理システムによれば、前段の排ガス処理装置の下部水槽部に設置された網袋に入った活性炭に、マイクロナノバブルで活性化した微生物を固定化し繁殖させることができる。よって、微生物による洗浄水中の成分の分解を促進できる。
【００３１】
また、一実施形態の排ガス処理システムでは、上記前段の排ガス処理装置は、上記下部水槽に、曝気設備が設置されている。
【００３２】
この実施形態の排ガス処理システムによれば、前段の排ガス処理装置の下部水槽内を曝気設備によって撹拌することができるので、下部水槽における微生物処理性能が安定する。
【００３３】
また、一実施形態の排ガス処理システムでは、上記前段の排ガス処理装置は、上記下部水槽に、ひも状型ポリ塩化ビニリデン充填物と曝気設備が設置されている。
【００３４】
この実施形態の排ガス処理システムによれば、前段の排ガス処理装置の下部水槽部に設置されたひも状型ポリ塩化ビニリデン充填物に、マイクロナノバブルで活性化した微生物を固定化し繁殖させることができる上に、曝気設備によって下部水槽内を撹拌できる。よって、微生物による洗浄水中の成分の分解をより一層促進できる。
【００３５】
また、一実施形態の排ガス処理システムでは、上記前段の排ガス処理装置は、上記下部水槽に、リング型ポリ塩化ビニリデン充填物と曝気設備が設置されている。
【００３６】
この実施形態の排ガス処理システムによれば、前段の排ガス処理装置の下部水槽部に設置されたリング型ポリ塩化ビニリデン充填物に、マイクロナノバブルで活性化した微生物を固定化し繁殖させることができる上に、曝気設備によって下部水槽内を撹拌できる。よって、微生物による洗浄水中の成分の分解をより一層促進できる。
【発明の効果】
【００３７】
この発明の排ガス処理方法によれば、洗浄水にマイクロナノバブルを含有させて、洗浄水に含まれる微生物をマイクロナノバブルで活性化して、活性化した微生物によって、排ガスに含まれる悪臭ガス成分を効率よく処理できる。
【発明を実施するための最良の形態】
【００３８】
以下、この発明を図示の実施の形態により詳細に説明する。
【００３９】
(第１の実施の形態)
図１に、この発明の排ガス処理システムの第１実施形態を模式的に示す。この第１実施形態は、前段の洗浄水方式の排ガス処理装置３と後段の洗浄水方式の排ガス処理装置２２を備える。
【００４０】
前段の排ガス処理装置３は、上部散水部４と下部水槽部５で構成される洗浄方式の主処理部と、この主処理部とは別個に設置されたマイクロナノバブル発生槽１３とを有する。
【００４１】
図１において、符号１は排気入口であり、排気ファン２によって、排ガスが、排ガス処理装置３内に導入される。この排ガスは、一例として、半導体工場や液晶工場からの悪臭と揮発性有機化合物(ＶＯＣ:Ｖolatile Ｏrganic Ｃompounds)を含有している。
【００４２】
排ガス処理装置３の上部散水部４には、下から順に、多孔板１０、その上のプラスチック充填材９が設置されている。このプラスチック充填材９としては一例として商品名テラレットと呼ばれる充填材が用いられる。
【００４３】
排気ファン２によって導入された悪臭と揮発性有機物とを含有する排ガスは、上部散水部４に導入されて、マイクロナノバブルを含有する洗浄水が、散水されることで、排ガス成分が洗浄水の中に吸収されて処理される。なお、排ガス処理装置３の上部散水部４では、プラスチック充填材９のさらに上方に所定の距離をおいて、散水ノズル８が設置されており、この散水ノズル８からプラスチック充填材９に洗浄水を散水している。
【００４４】
散水ノズル８には洗浄水配管７が接続されている。そして、下部水槽５に貯留されている洗浄水を散水ポンプサクション配管２０で散水ポンプ６に導き、洗浄水配管７を経由して、洗浄水を散水ノズル８から散水している。この散水された洗浄水は、上部散水部４の最下部４Ａに集まり、出口配管１２を経由して、マイクロナノバブル発生槽１３に導入される。マイクロナノバブル発生槽１３には、マイクロナノバブル発生機１７が設置され、マイクロナノバブルを発生している。このマイクロナノバブルによって、水流１８を起こしマイクロナノバブル発生槽１３内を撹拌している。このマイクロナノバブル発生槽１３では、洗浄水中の排ガス成分としての揮発性有機化合物の存在によって、マイクロバブルが発生し易くなる。
【００４５】
また、マイクロナノバブル発生機１７は、マイクロナノバブルを発生するために、空気が必要となるが、必要量の空気は、バルブ１６と空気吸い込み管１５から確保している。そして、マイクロナノバブル発生機１７は、配管によって循環ポンプ１４と接続しており、循環ポンプ１４はマイクロナノバブル発生槽１３内の洗浄水をマイクロナノバブル発生機１７に必要圧力状態で供給している。必要圧力状態で供給すると、マイクロナノバブルが効率よく発生する。必要圧力とは、一例として１.５ｋｇ/ｃｍ２以上を意味する。
【００４６】
このマイクロナノバブル発生槽１３からオーバーフロウ(自然流下)した洗浄水は、オーバーフロー管１９を通って下部水槽５に流入する。この下部水槽５では、マイクロナノバブルで活性化された微生物によって、洗浄水に含まれる排ガス成分としての悪臭ガス成分や揮発性有機化合物を分解処理できる。
【００４７】
一方、悪臭と揮発性有機物を含有する排ガスは、前段の排ガス処理装置３で処理された後も微量の悪臭成分が残っているので、被処理ガスとして、第１排ガス出口１１より出て、ダクト２１を通って後段の排ガス処理装置としての脱臭装置２２に導入される。なお、上記微量の悪臭成分としては、例えば、アンモニア等がある。
【００４８】
この脱臭装置２２は、上部散水部２３と下部水槽部２４から構成されている。脱臭装置２２の上部散水部２３は、下から多孔板３２、その上に商品名テラレットと呼ばれるプラスチック充填材３１が設置されている。
【００４９】
排気ファン２によって導入された悪臭と揮発性有機物とを含有する排ガスは、上部散水部２３に導入されて、マイクロナノバブルを含有する洗浄水が散水される。これにより、排ガス中の排ガス成分が洗浄水の中に吸収されて処理される。なお、脱臭装置２２の上部散水部２３に設置された多孔板３２,プラスチック充填材３１のさらに上方に、所定の距離をおいて、散水ノズル３３が設置されている。この散水ノズル３３はプラスチック充填材３１に洗浄水を散水している。
【００５０】
散水ノズル３３は洗浄水配管３４に接続されている。そして、下部水槽２４に貯留されている洗浄水を、散水ポンプサクション配管２０で散水ポンプ２５に導き、洗浄水配管３４を経由して散水ノズル３３から散水している。この散水ノズル３３から散水された洗浄水は、プラスチック充填材３１と多孔板３２を通って、下部水槽２４の表面に散水される。
【００５１】
下部水槽２４には、マイクロナノバブル発生機２７が設置され、マイクロナノバブルを発生している。このマイクロナノバブルは洗浄水の水流２８を起こして、下部水槽２４内を撹拌している。また、マイクロナノバブル発生機２７は、マイクロナノバブルを発生するために空気が必要となるが、必要量の空気はバルブ２９と空気吸い込み管３６から確保している。そして、マイクロナノバブル発生機２７は、配管によって循環ポンプ２６と接続しており、循環ポンプ２６は、下部水槽２４内の洗浄水をマイクロナノバブル発生機２７に必要圧力状態で供給している。これにより、マイクロナノバブル発生機２７はマイクロナノバブルを効率よく発生できる。上記必要圧力とは、例えば、１.５ｋｇ/ｃｍ２以上を意味する。
【００５２】
よって、後段の排ガス処理装置である脱臭装置２２では、マイクロナノバブルを含有した洗浄水によって、悪臭を含有する排ガスに対して、脱臭処理を行うこととなる。この脱臭装置２２によって脱臭処理をされた排ガスは、第２排ガス出口３５から排出される。一方、脱臭装置２２の下部水槽２４では、マイクロナノバブルで洗浄水中の微生物を活性化して、洗浄水中の排ガス成分を分解できる。
【００５３】
上述のように、この実施形態では、前段の排ガス処理装置３と後段の脱臭装置２２とで、２段の排ガス処理を行うので、マイクロナノバブルで活性化した微生物によって、悪臭を含有する排ガスをより確実に処理できる。
【００５４】
なお、一般に、水中に界面活性剤、塩類、アルコール類が存在すると、マイクロナノバブルが良く発生する現象がある。すなわち、この実施形態では、微生物をマイクロナノバブルで活性化しているが、排ガス中の揮発性有機化合物を活用して、洗浄水にマイクロナノバブルを効率良く発生させることができ、かつ、そのマイクロナノバブルを含む洗浄水で微生物を活性化している。この実施形態では、排ガス中の揮発性有機化合物を巧に活用して、排ガス処理に役立てている。また、この実施形態では、排ガス処理装置３の洗浄水は、下部水槽５において確実に微生物処理できて、排ガス処理装置３の上部散水部４にリサイクル使用可能となるので、排ガス処理装置３から排水が発生しないようにすることが可能となる。
【００５５】
また、マイクロナノバブル発生機１７とマイクロナノバブル発生機２７は、一例として市販されているものを採用できるが、メーカーを限定するものではない。具体的一例として、マイクロナノバブル発生機として、株式会社ナノプラネット研究所と株式会社オーラテックのものを採用できる。
【００５６】
ここで、３種類のバブルについて説明する。
【００５７】
(ｉ) 通常のバブル(気泡)は水の中を上昇して、ついには表面でパンとはじけて消滅する。
【００５８】
(ii) マイクロバブルは、直径が１０〜数１０ミクロン(μｍ)以下の気泡径を有する気泡で、発生後の収縮運動によりマイクロナノバブルに変化する。
【００５９】
(iii) ナノバブルは、数１００ｎｍ以下の直径を有する気泡と言われており、マイクロナノバブルとは、マイクロバブルとナノバブルとが混合したバブルと説明できる。
【００６０】
なお、上記排ガスが含有する悪臭ガス成分としては、一例として、アンモニア、トリメチルアミン、アセトアルデヒド、硫化水素、メチルメルカブタンなどが挙げられるが、その他の悪臭ガス成分であってもよい。また、上記排ガスが含有する揮発性有機化合物の一例としては、イソプロピールアルコール、アセトン、酢酸ブチル等が挙げられるが、その他の揮発性有機化合物も該当することは勿論である。
【００６１】
(第２の実施の形態)
次に、図２に、この発明の排ガス処理システムの第２実施形態を示す。この第２実施形態は、図１の第１実施形態における脱臭装置２２の下部水槽２４において、マイクロナノバブル発生機２７に接続した空気吸い込み管３６の先にオゾン発生機３０が付加されている点のみが、前述の第１実施形態と異なる。よって、この第２実施形態では、前述の第１実施形態と同じ部分については、同じ符号を付けて詳細説明を省略し、前述の第１実施形態と異なる部分を説明する。
【００６２】
この第２実施形態では、脱臭装置２２の空気吸い込み管３６の先端に接続されたオゾン発生機３０がオゾンを発生するので、マイクロナノバブル発生機２７はオゾンマイクロナノバブルを発生する。よって、この脱臭装置２２では、オゾンマイクロナノバブルを含む洗浄水によって、悪臭ガスを処理することとなる。すなわち、オゾンマイクロナノバブルを含有する洗浄水によれば、悪臭ガスに対する酸化力が増加して、悪臭ガスを強力に処理することができる。
【００６３】
(第３の実施の形態)
次に、図３にこの発明の排ガス処理システムの第３実施形態を示す。この第３実施形態は、図２の第２実施形態における前段の排ガス処理装置３の下部水槽５の中に、固定金具３８で固定されたひも状型ポリ塩化ビニリデン充填材４１が充填されている点のみが、前述の第２実施形態と異なる。よって、この第３実施形態では、前述の第２実施形態と同じ部分については、同じ符号を付けて詳細説明を省略し、前述の第２実施形態と異なる部分を説明する。
【００６４】
この第３実施形態では、前段の排ガス処理装置３の下部水槽５には、マイクロナノバブルで活性化した微生物がひも状型ポリ塩化ビニリデン充填材４１に繁殖する。よって、この繁殖した微生物によって、洗浄水中に吸収された揮発性有機化合物を合理的に短時間で分解することができる。また、マイククロナノバブルを含んだ洗浄水は、マイククロナノバブルを含んでいない洗浄水と比較すると、排ガス中の揮発性有機化合物の除去率が良いことが、実験により確認できている。
【００６５】
よって、この第３実施形態によれば、排ガス中の揮発性有機化合物を合理的に効率よく処理できる。なお、前段の排ガス処理装置３では、排ガス中の悪臭成分もある程度は処理されるが、微量のアンモニア等の悪臭成分が残存する。この残存した微量の悪臭成分は、後段の脱臭装置２２で処理されることとなる。
【００６６】
また、マイクロナノバブル発生槽１３が、前段の排ガス処理装置３の主処理部(上部散水部４と下部水槽部５)とは別個に設置されているので、微生物でマイクロナノバブル発生機１７の洗浄水吸い込み口が詰まることを回避できる。
【００６７】
(第４の実施の形態)
次に、図４に、この発明の排ガス処理システムの第４実施形態を示す。この第４実施形態は、図２の第２の実施形態における前段の排ガス処理装置３の下部水槽５の中に、網籠３９に中に充填されているリング型ポリ塩化ビニリデン充填材４０を備える点のみが前述の第２実施形態と異なる。よって、この第４実施形態では、前述の第２実施形態と同じ部分については、同じ符号を付けて、詳細説明を省略し、前述の第２実施形態と異なる部分を説明する。
【００６８】
この第４実施形態では、前段の排ガス処理装置３の下部水槽５では、マイクロナノバブルで活性化した微生物がリング型ポリ塩化ビニリデン充填材４０に繁殖する。この繁殖した微生物によって、洗浄水中に吸収された揮発性有機化合物を合理的に短時間で分解することとなる。また、マイククロナノバブルを含んだ洗浄水は、マイククロナノバブルを含んでいない洗浄水と比較すると、排ガス中の揮発性有機化合物の除去率が良いことが、実験により確認できている。
【００６９】
よって、この第４実施形態によれば、排ガス中の揮発性有機化合物を合理的に効率よく処理できる。なお、前段の排ガス処理装置３では、排ガス中の悪臭成分もある程度は処理されるが、微量のアンモニア等の悪臭成分が残存する。この残存した微量の悪臭成分は、後段の脱臭装置２２で処理されることとなる。
【００７０】
(第５の実施の形態)
次に、図５に、この発明の排ガス処理システムの第５実施形態を示す。この第５実施形態は、図２の第２実施形態における排ガス処理装置３の下部水槽５の中に、網袋４４の中に収容された活性炭４３が網籠４２の中に充填されている点のみが前述の第２実施形態と異なる。よって、この第５実施形態では、前述の第２実施形態と同じ部分については、同じ符号を付けて、詳細説明を省略し、前述の第２実施形態と異なる部分を説明する。
【００７１】
この第５実施形態では、前段の排ガス処理装置３の下部水槽５では、網袋４４の中に充填された活性炭４３に、マイクロナノバブルで活性化した微生物が繁殖する。この繁殖した微生物は、洗浄水中に吸収された排ガス成分としての揮発性有機化合物を合理的に短時間で分解することとなる。また、マイククロナノバブルを含んだ洗浄水は、マイククロナノバブルを含んでいない洗浄水と比較すると、排ガス中の揮発性有機化合物の除去率が良いことが、実験により確認できている。
【００７２】
よって、この第５実施形態によれば、排ガス中の揮発性有機化合物を合理的に効率よく処理できる。なお、前段の排ガス処理装置３では、排ガス中の悪臭成分もある程度は処理されるが、微量のアンモニア等の悪臭成分が残存する。この残存した微量の悪臭成分は、後段の脱臭装置２２で処理されることとなる。
【００７３】
(第６の実施の形態)
次に、図６に、この発明の排ガス処理システムの第６実施形態を示す。この第６実施形態は、図２の第２実施形態における前段の排ガス処理装置３の下部水槽５の中に、空気配管４６でブロワー４７に接続されている散気管４５が曝気設備として設置されている点のみが、前述の第２実施形態と異なる。よって、この第６実施形態では、前述の第２実施形態と同じ部分については、同じ符号を付けて、詳細説明を省略し、前述の第２実施形態と異なる部分を説明する。
【００７４】
この第６実施形態では、前段の排ガス処理装置３の下部水槽５の中に設置された散気管４５は、ブロワー４７と空気配管４７から供給される空気を吐出して、矢印で示すような水流２８を生じさせて、前段の排ガス処理装置３の下部水槽５内を空気撹拌することができる。よって、この第６実施形態では、下部水槽５内が充分に撹拌されると同時に曝気されるので、マイクロナノバブルで活性化した好気性微生物が繁殖して、排ガスに含まれる揮発性有機化合物を分解することができる。なお、前段の排ガス処理装置３で残存した微量の悪臭成分は、後段の脱臭装置２２で処理されることとなる。
【００７５】
(第７の実施の形態)
次に、図７に、この発明の排ガス処理システムの第７実施形態を示す。この第７実施形態は、図２の第２実施形態における排ガス処理装置３の下部水槽５の中に空気配管４６でブロワー４７に接続された散気管４５が曝気設備として設置されている点と、下部水槽５の中に固定金具３８で固定されたひも状型ポリ塩化ビニリデン充填物４１が充填されている点とが、前述の第２実施形態と異なる。よって、この第７実施形態では、前述の第２実施形態と同じ部分については、同じ符号を付けて、詳細説明を省略し、前述の第２実施形態と異なる部分を説明する。
【００７６】
この第７実施形態では、前段の排ガス処理装置３の下部水槽５の中に設置された散気管４５が、ブロワー４７と空気配管４７から供給された空気を吐出することで、矢印で示すような水流２８を生じさせて、下部水槽５内を空気撹拌できる。
【００７７】
したがって、下部水槽５内の撹拌が充分されると同時に曝気されるので、マイクロナノバブルで活性化された好気性微生物が、ひも状型ポリ塩化ビニリデン充填物４１に固定化、繁殖して、排ガス成分としての揮発性有機化合物を分解することができる。なお、この前段の排ガス処理装置３で残存した微量の悪臭成分は、後段の脱臭装置２２で処理されることとなる。
【００７８】
(第８の実施の形態)
次に、図８に、この発明の排ガス処理システムの第８実施形態を示す。この第８実施形態は、図２の第２実施形態における排ガス処理装置３の下部水槽５の中に、空気配管４６でブロワー４７に接続されている散気管４５が曝気設備として設置されている点と、下部水槽５において網袋４４に収容されている活性炭４３が網籠４２に充填されている点とが、前述の第２実施形態と異なる。よって、この第８実施形態では、前述の第２実施形態と同じ部分については、同じ符号を付けて、詳細説明を省略し、前述の第２実施形態と異なる部分を説明する。
【００７９】
この第８実施形態では、前段の排ガス処理装置３の下部水槽５の中に設置されている散気管４５は、ブロワー４７と空気配管４７から供給された空気を吐出して、矢印で示すような水流２８を生じさせて、下部水槽５内を空気撹拌することができる。したがって、この第８実施形態では、前段の排ガス処理装置３において、下部水槽５内が充分に撹拌されると同時に曝気される。したがって、下部水槽５では、マイクロナノバブルで活性化した好気性微生物が、網袋４４に収容されている活性炭４３に固定化、繁殖して、排ガス成分としての揮発性有機化合物を分解することとなる。なお、この前段の排ガス処理装置３で残存した微量の悪臭成分は、後段の脱臭装置２２で処理されることとなる。
【００８０】
(実験例)
図２に示す排ガス処理システムに対応する実験装置を製作した。この実験装置における排ガス処理装置３の容量を２ｍ３とし、マイクロナノバブル発生槽１３の容量を０.５ｍ３とし、脱臭装置２２の容量を２ｍ３として実験装置を製作した。そして、この実験装置に、悪臭(アンモニア臭)とアセトン含有排ガスを導入して、約１ケ月の試運転を行った。この試運転後、排気入口１での排ガスのアンモニア濃度およびアセトン濃度と、第２排ガス出口３５でのアンモニア濃度およびアセトン濃度を測定して、除去率を測定した。その結果、アンモニア除去率が９６％であり、アセトンの除去率が９４％であった。
【図面の簡単な説明】
【００８１】
【図１】この発明の排ガス処理システムの第１実施形態を模式的に示す図である。
【図２】この発明の排ガス処理システムの第２実施形態を模式的に示す図である。
【図３】この発明の排ガス処理システムの第３実施形態を模式的に示す図である。
【図４】この発明の排ガス処理システムの第４実施形態を模式的に示す図である。
【図５】この発明の排ガス処理システムの第５実施形態を模式的に示す図である。
【図６】この発明の排ガス処理システムの第６実施形態を模式的に示す図である。
【図７】この発明の排ガス処理システムの第７実施形態を模式的に示す図である。
【図８】この発明の排ガス処理システムの第８実施形態を模式的に示す図である。
【符号の説明】
【００８２】
１  排気入口
２  排気ファン
３  前段の排ガス処理装置
４  上部散水部
５  下部水槽
６  散水ポンプ
７  洗浄水配管
８  散水ノズル
９  プラスチック充填材
１０  多孔板
１１  第１排ガス出口
１２  出口配管
１３  マイクロナノバブル発生槽
１４  循環ポンプ
１５  空気吸い込み管
１６  バルブ
１７  マイクロナノバブル発生機
１８  水流
１９  オーバーフロー管
２０  散水ポンプサクション配管
２１  ダクト
２２  脱臭装置
２３  上部
２４  下部
２５  散水ポンプ
２６  循環ポンプ
２７  マイクロナノバブル発生機
２８  水流
２９  バルブ
３０  オゾン発生機
３１  プラスチック充填材
３２  多孔板
３３  散水ノズル
３４  洗浄水配管
３５  第２排ガス出口
３６  空気吸い込み管
３８  固定金具
３９  網籠
４０  リング型ポリ塩化ビニリデン充填材
４１  ひも状型ポリ塩化ビニリデン充填材
４２  網籠
４３  活性炭
４４  網袋
４５  散気管
４６  空気配管
４７  ブロワー
【図１】
2007319830.tif 000003
【図２】
2007319830.tif 000004
【図３】
2007319830.tif 000005
【図４】
2007319830.tif 000006
【図５】
2007319830.tif 000007
【図６】
2007319830.tif 000008
【図７】
2007319830.tif 000009
【図８】
2007319830.tif 000010